(57)【要約】      （修正有）【課題】円の描図が可能な巻尺であって、夜間や暗がりであっても、描図する円の半径を容易に示す巻尺を提供する。【解決手段】ケース１０内に軸装された巻取り式のテープ２０と、円描図時に支点の役割を果たす突出部３１が設けられた支点部３０と、テープ２０の先端部に設けられ筆記具８０を通す孔６０と、を備えた巻尺１００でああって、テープ２０の裏面側に設けられた複数の目盛りを有する裏面目盛と、少なくとも一部に蓄光処理が施され、ケース１０内に収納されたテープ２０の裏面目盛の少なくとも一部が視認可能な視認部４０と、を備える。テープ２０が所定の位置に固定された際、突出部３１から孔６０までの距離を示す目盛りが、視認部４０に設けられた測定基準線５０に重なる。【選択図】図１
2015215266.tif 000002
【特許請求の範囲】
【請求項１】
ケース内に軸装された巻取り式のテープと、先端の尖った突出部と、前記テープの先端部に設けられた孔と、を備えた巻尺であって、
前記テープの裏面側に設けられた複数の目盛りからなる裏面目盛と、
少なくとも一部に蓄光処理が施され、前記テープの内部が視認可能な視認部と、
を備え、
前記突出部から前記孔までの距離を示す前記裏面目盛と前記視認部に設けられた測定基準線とが重なることで、前記突出部から前記孔までの距離を示すことを特徴とする、
巻尺。
【請求項２】
前記測定基準線から前記裏面目盛の開始位置までの前記テープの長さと、前記突出部から前記孔までの距離とが等しいことを特徴とする、
請求項１に記載の巻尺。
【請求項３】
前記裏面目盛と前記視認部との両方に蓄光処理が施されていることを特徴とする、
請求項１又は２に記載の巻尺。
【請求項４】
前記視認部の蓄光処理は、前記視認部と前記ケースとの間に蓄光物質を含む蓄光層が備えられていることを特徴とする、
請求項１〜３のいずれか１項に記載の巻尺。
【請求項５】
請求項１〜４のいずれか１項に記載の巻尺であって、
前記ケースと前記突出部を有する支点部とを連結するヒンジ部と、
を備え、
前記支点部は、前記ケースに収納された収納位置と前記ケースを支える描図位置とにそれぞれ固定可能であることを特徴とする、
巻尺。
【発明の詳細な説明】
【技術分野】
【０００１】
本発明は、巻尺に関する。
【背景技術】
【０００２】
従来から円描図機能を有する多機能巻尺が知られている。例えば、巻尺本体の中心より先端までの距離を表示するデジタル距離計を側面に設置し、下面に取外し可能な中心指示線付き吸盤を備え、吸盤と連結する押さえを上部に付け、巻尺の先端に描図用具差し込み穴を持つ、円描図機能付き巻尺がある（特許文献１）。
【０００３】
この円描図機能付き巻尺は、ケースから引き出したテープの先端から前記ケースの中心までの距離をデジタル表示することができる。したがって、この巻尺の使用者は引き出した任意のテープ位置からケースの中心までの距離を視認することができるため、ケースの中心から任意のテープ位置までの距離を容易に知ることができ、例えば、この巻尺を用いて円を描く場合には、円の半径を容易に知ることができる。
【０００４】
しかし、特許文献１に記載の円描図機能付き巻尺は、デジタル距離計という距離測定に用いる独立した機構を有している。この機構を有することによって、この巻尺は部品点数が増加してしまい、故障の可能性が高くなるといった課題があった。また、夜間等に使用する場合には、デジタル距離計が視認し難いという課題もあった。
【先行技術文献】
【特許文献】
【０００５】
【特許文献１】特開２００３−１３０６０２号公報
【発明の概要】
【発明が解決しようとする課題】
【０００６】
本発明は、このような課題を鑑みなされたものであり、従来なされた発明の巻尺より部品点数を減らし、夜間でも任意のテープ位置からケースの特定の位置までの距離を容易に知ることができる巻尺を提供することを主目的とする。
【課題を解決するための手段】
【０００７】
本発明は、上述の主目的を達成するために、以下の手段を採った。
【０００８】
本発明にかかる巻尺は、ケース内に軸装された巻取り式のテープと、先端の尖った突出部と、前記テープの先端部に設けられた孔と、を備えた巻尺であって、
前記テープの裏面側に設けられた複数の目盛りからなる裏面目盛と、
少なくとも一部に蓄光処理が施され、前記テープの内部が視認可能な視認部と、
を備え、
前記突出部から前記孔までの距離を示す前記裏面目盛と前記視認部に設けられた測定基準線とが重なることで、前記突出部から前記孔までの距離を示すことを特徴とするものである。
【０００９】
本発明の巻尺によれば、裏面目盛のうち、突出部から孔までの距離を示す目盛りと視認部に設けられた測定基準線とが重なることで、突出部の先端から孔までの距離を容易に示すことができる。この突出部の先端から孔までの距離は、例えば、突出部を中心に円を描く場合にはこの円の半径を示すことになるため、孔に筆記具等を固定することにより、突出部を中心に所望の長さの半径を有する円を容易に描くことができる。このとき、視認部には蓄光処理が施されているため、暗がりや夜間といった環境下でも目盛を容易に読み取ることができる。さらに、デジタル距離計を用いてテープの先端からケースの中心までの距離を示すといった機械的な機構を別途備えることなく突出部の先端から孔までの距離を示すことができるため、巻尺の部品点数を減らし、故障の可能性を未然に低減させることができる。
【００１０】
また、本発明にかかる巻尺において、測定基準線から裏面目盛の開始位置までのテープの長さと、突出部から孔までの距離とが等しいことを特徴とするものであってもよい。かかる構成を採用することによって、突出部の先端から孔までの距離を示す裏面目盛の目盛りが測定基準線の位置に正確に重なるという効果を有することから、この巻尺の使用者は容易に突出部の先端から孔までの距離を確認することができる。また、かかる構成は上述のような機械的な機構を別途必要としないので、巻尺の部品点数を減らし、故障の可能性を低減させることができる。
【００１１】
更に、本発明にかかる巻尺において、裏面目盛と測定基準線との両方に蓄光処理が施されていることを特徴とするものであってもよい。かかる構成を採用することによって、この巻尺の使用者は暗がりや夜間といった環境下でも、測定基準線に示された目盛りを容易に確認することができる。さらに、視認部のみに蓄光処理が施された場合と比較して、視認部・測定基準線及び裏面目盛が蓄光性を有するので、目盛の視認性を高めることができる。
【００１２】
更にまた、本発明にかかる巻尺において、視認部の蓄光処理とは、視認部とケースとの間に蓄光物質を含む蓄光層が備えられていることを特徴とするものであってもよい。かかる構成を採用することによって、この巻尺の使用者は暗がりや夜間といった環境下でも、測定基準線に示された目盛りを視認することができる。さらに、かかる構成は視認部の上面又は下面に蓄光物質を含ませることなく裏面目盛まで光を導くことができる為、視認部に蓄光物質を含む構成と比較して、視認部の透明性、ひいては測定基準線に示された目盛りの視認性を、より高い水準で達成することができる。
【００１３】
そして、本発明にかかる巻尺において、ケースと前記突出部を有する支点部とを連結するヒンジ部と、を備え、支点部は、ケースに収納された収納位置とケースを支える描図位置とにそれぞれ固定可能であることを特徴とするものであってもよい。かかる構成を採用することによって、突出部を有する支点部をケースに収納することができるので、保管時又は携帯時の安全性を高めることができる。また、ケースと支点部を固定することができるので、意図せずに支点部が動いてしまう可能性を未然に低減できる。
【図面の簡単な説明】
【００１４】
【図１】図１は、本実施の形態にかかる巻尺１００の斜投影図である。
【図２】図２は、本実施の形態にかかる巻尺１００の上面図である。
【図３】図３は、本実施の形態にかかる巻尺１００において、描図する円の半径が測定基準線５０に示される仕組みと、裏面目盛２２の開始位置とを説明する為の図である。図３Ａは巻尺１００を右側面側から見た概略図であり、図３Ｂは巻尺１００を下面側から見た下面図である。
【図４】図４は、本実施の形態にかかる巻尺１００の支点部３０の二つの固定位置を示す図である。図４Ａは支点部３０を描図位置で固定した下面図であり、図４Ｂは支点部３０を収納位置で固定した下面図である。
【発明を実施するための形態】
【００１５】
本発明にかかる巻尺１００の実施の形態について、図面を参照しつつ詳細に説明する。以下に説明する実施の形態及び図面は、本発明の実施の形態の一部を例示するものであり、これらの構成に限定する目的に使用されるものではなく、本発明の要旨を逸脱しない範囲において適宜変更することができる。なお、各図において対応する構成要素には同一又は類似の符号が付されている。また、図１のテープ２０に設けられている表面目盛２１、裏面目盛２２及び目盛り線２３は省略した。さらに、説明の都合上、ケース１０からテープ２０を引き出すための開口部１２が設けられている側を「前方側」、その反対面を「後方側」、またケース１０にストッパー７０が設けられている面及びその反対面を「側面側」とする。
【００１６】
本実施の形態にかかる巻尺１００を図１に示す。図１は、本実施の形態にかかる巻尺１００の斜投影図である。本実施の形態にかかる巻尺１００は、主として、巻尺の外殻を構成するケース１０と、表面目盛２１（図２参照）、裏面目盛２２（図２参照）及び孔６０を備えたテープ２０と、突出部３１を備えた支点部３０と、測定基準線５０を備えた視認部４０と、を備えている。この巻尺１００は、ケース１０からテープ２０を所定の位置に引き出すことで長さを測ることに加え、孔６０に筆記具８０を通し、突出部３１を支点として巻尺１００を回転させることで、円を描図することができる。このとき、視認部４０を視認すると、裏面目盛２２のうち目盛り線２３（図４参照）が測定基準線５０と重なった状態で視認される。測定基準線５０は、突出部３１から孔６０までの距離、すなわち、描図する円の半径を示すため、描図する円の半径を容易に示すことができる。
【００１７】
ケース１０は、図１及び図２に示すように、内部にテープ２０を巻き取る為の図示しない巻き取り軸を備えたテープ２０を収納する金属製のケースである。このケース１０の上面側は湾曲面で形成されており、上面側には、透明な曲板である視認部４０が設けられている。巻尺１００の使用者は、視認部４０を介してケース１０の内部に収納された裏面目盛２２を視認することができる。また、ケース１０の前方側の下方には開口部１２が設けられており、テープ２０をケース１０の内部から引き出すことができる。また、ケース１０の下面側の後方端には支点部３０が、また一方の側面側にはストッパー７０が設けられている。さらに、図４に示すように、ケース１０の下面側の後方は凹状の溝が形成されており、支点部３０を収納することができる。なお、ケース１０の材質は、使用に際して十分な強度が確保できるものであれば、どのような素材であってもよい。例えば、ステンレス鋼やアルミニウム等の金属製であってもよいし、アクリル系樹脂やスチレン系樹脂等の樹脂製であってもよいし、ガラス製であってもよい。また、視認部４０は、ケース１０に収納されたテープ２０の裏面目盛２２が視認可能なものであれば、どのような材質であってもよく、例えば、メチルメタクリレートやエチルメタクリレート等のメタクリル樹脂の他、メチルアクリレート、エチルアクリレート等のアクリル製樹脂、ポリカーボネート、ポリエチレン、ガラス等の種々の素材を用いることができる。
【００１８】
テープ２０は、図１及び図２に示すように、金属製、繊維製又は樹脂製の薄い帯であり、ケース１０に軸装されている。このテープ２０の表面（巻き取り時に内周側となる面）には表面目盛２１が、裏面（巻き取り時に外周側となる面）には複数の目盛り線２３からなる裏面目盛２２がそれぞれ設けられている。また、表面目盛２１は、テープ２０の先端（取っ手２５）からの距離を示し、裏面目盛２２は測定基準線５０と重なった位置で、突出部３１から孔６０までの距離を示す。また、テープ２０の先端部には、筆記具８０が通過可能な孔６０が設けられており、さらに、その先端には金属製の取っ手２５が設けられている。このため、巻尺１００を用いて測定する際には、取っ手２５を測定対象物の把持等に引っかけることで、容易に測定することができる。
【００１９】
ここで、裏面目盛２２に設けられた目盛り線２３について、図３を用いて更に詳しく説明する。目盛り線２３は、測定基準線５０から裏面目盛２２の開始位置までのテープ２０の長さＡＡ’と、突出部３１から孔６０までの距離ｄが等しくなるように設けられている。言い換えると、裏面目盛２２は孔６０から距離ｂ離れた位置を値ゼロとして設けられており、この距離ｂは、測定基準線５０から孔６０までのテープ２０の長さＡＡ’’と突出部３１から孔６０までの距離ｄとの差に等しい。こうすることにより、突出部３１を中心として孔６０に筆記具８０を貫通させて円を描図した際には、突出部３１から孔６０までの長さが測定基準線５０によって示されることにより、描図した円の半径を容易に示すことができる。
【００２０】
支点部３０は、図４に示すように、直方体形状の金属製の板であって、ケース１０の下面側後方端でヒンジ部３５によりケース１０と連結されている。支点部３０の下面側には先端が尖った形状からなる突出部３１が設けられており、円の描図時に支点の役割を果たす。また、支点部３０とケース１０とを連結するヒンジ部３５は、支点部３０が円描図時に使用する描図位置（図４Ａ参照）と、ケース１０に収納する収納位置（図４Ｂ参照）とにおいてそれぞれ固定できるようになっている。巻尺１００を用いて円を描図する際には、図１に示すように、支点部３０をケース１０の下面側と水平になる描図位置に固定する。一方、巻尺１００の保管時及び携帯時は、支点部３０をヒンジ部３５の回転軸を中心として回転させ、ケース１０の収納位置（図４Ｂ参照）に固定する。これにより、巻尺１００の保管中又は携帯中に支点部３０をケース１０に収納できるので、保管時及び携帯時の安全性を高めることができる。また、ケース１０と支点部３０を固定することができるので、意図せずに支点部３０を動かしてしまい、描図する円の形状がぶれてしまう可能性を低減できる。
【００２１】
視認部４０は、図２に示すように、ケース１０の上面側に設けられた透明なメタクリル樹脂製の曲板であり、これにより、ケース１０の内部に収納された裏面目盛２２を視認することができる。視認部４０は、ケース１０の上面側形状に合わせて湾曲して形成され、ケース１０の上面側に嵌合されている。また、視認部４０はその上面側について、蓄光物質を含む塗料で塗布することで蓄光処理が施されている。ここで、蓄光物質を含む塗料には、例えばアクリル樹脂、ビニル樹脂、ポリイソシアネート樹脂又はウレタン樹脂等を結合剤とし、またアルミン酸ストロンチウムを含むアルミナ酸化合物等の蓄光物質を蓄光顔料とする、蓄光塗料を用いることができる。視認部４０に蓄光処理が施されていることにより、暗がりや夜間といった環境下でも裏面目盛２２を読み取ることができる。これにより、暗がりや夜間といった環境下でも描図する円の半径を確認することができる。
【００２２】
測定基準線５０は、図２に示すように、視認部４０の下面側中央に印刷された線である。測定基準線５０はケース１０の内部に収納された裏面目盛２２を示し、裏面目盛２２とは異なる色で印刷されている。例えば、裏面目盛２２が黒色で、測定基準線５０は赤色で印刷されている。これにより、測定基準線５０は目盛り線２３と重なる位置において描図する円の半径を明確に示すことができる。また、裏面目盛２２と測定基準線５０とが重なっても両者を区別できることから、視認性が向上する。さらに、測定基準線５０は視認部４０の下面側に設けられていることから、減耗を避けることができる。このように、巻尺１００は裏面目盛２２と測定基準線５０とが重なった位置で描図する円の半径を示すことができるので、描図する円の半径を示す際に、別途デジタル距離計といった機械的な機構を設ける必要が無い。これにより、円の半径を示すための機械的な機構を設ける場合と比較して、巻尺を構成する部品点数を低減し、不具合が発生する可能性を未然に低減させることができる。
【００２３】
孔６０は、図１に示すように、テープ２０の先端部中央に設けられた、筆記具８０を通す貫通孔である。なお、孔６０は、テープ２０の先端部中央に設けられているものとしたが、筆記具８０を通して円を描図できる位置にあるならば、どのような位置であってもよい。また、孔６０の大きさについては、筆記具８０の先端部を通すことができる大きさであればよい。
【００２４】
ストッパー７０は、図１に示すように、ケース１０から引き出したテープ２０を固定する樹脂製のレバー（つまみ）であり、ケース１０の側面側下方に設けられている。ストッパー７０はケース１０の内部にある図示しない押圧具と連動しており、下方に押し込むと押圧具が下がりテープ２０を固定し、上方に引き上げると押圧具が上がり固定したテープ２０を解放する。ストッパー７０を設けることにより、ケース１０から引き出したテープ２０を所定の位置に固定することができる。また巻尺１００の使用者はケース１０から引き出したテープ２０を手動で固定する必要がなくなるので、ケース１０と筆記具８０とをそれぞれ片手で支持することができ、容易に円を描図することができる。
【００２５】
こうして作製された巻尺１００は、図１に示すように、ケース１０からテープ２０を所定の長さに引き出した後、ストッパー７０を下方に押し込んでテープ２０を固定し、支点部３０の突出部３１を支点として、孔６０に通した筆記具８０を支持しながら紙等の筆記対象物上で巻尺１００を水平に回転させることにより、円を描図する。このときの円の半径は、突出部３１から孔６０までの距離であり、この距離は、図２に示すように、目盛り線２３によって示される。具体的には、図１に示すように、距離ｄ＝１５ｃｍのとき、図２中のＣが示すように、測定基準線５０が１５ｃｍを示す目盛り線２３と重なることにより、円の半径が示される。このように、突出部３１から孔６０までの距離、すなわち、描図する円の半径を測定基準線５０によって示すことにより、容易に描図する円の半径を示すことができる。このとき、視認部４０には蓄光処理が施されているため、暗がりや夜間といった環境下でも目盛を容易に読み取ることができる。
【００２６】
また、支点部３０は、図４に示すように、ヒンジ部３５によりケース１０と連結されており、支点部３０が円描図時に使用する描図位置と、ケース１０に収納する収納位置とにおいてそれぞれ固定されるため、円描図時には突出部３１が露出することで円描図時に描図する円の中心がぶれることで円の形状がぶれる可能性を未然に低減すると共に、保管・携帯時には、尖った突出部３１を収納することで安全性を高めることができる。
【００２７】
なお、本発明は上述した実施形態に何ら限定されることはなく、本発明の技術的範囲に属する限り種々の態様で実施し得る。
【００２８】
例えば、上述した実施の形態では、視認部４０に蓄光物質を含む塗料を塗布することで蓄光処理を施すものとしたが、視認部４０に加えて、測定基準線５０にも蓄光処理を施してもよい。こうすることにより、視認部４０と測定基準線５０との両方について、暗がりや夜間といった環境下でも、測定基準線５０に示された目盛りを視認しやすい。また、視認部４０のみに蓄光処理を施す場合と比較して、より明るくなるため、目盛りの視認性を高めることができる。
【００２９】
上述した実施の形態では、視認部４０に蓄光物質を含む塗料を塗布することで蓄光処理を施すものとしたが、視認部４０の上面側に蓄光物質を含む塗料を塗布する蓄光処理に代えて、視認部４０の下面側に蓄光物質を含む塗料で塗布してもよい。または、視認部４０の材料に蓄光物質を含ませてもよい。または、視認部４０とケース１０との間に蓄光物質を含む蓄光層を設けてもよい。後者の場合、視認部４０の材料に蓄光物質を含ませる必要が無い為、視認部４０に蓄光物質を含ませる場合と比較して、視認部４０の透明度を一層高めることができる。これにより、視認部４０を通して目盛り線２３を視認する際の視認性を高めることができる。
【００３０】
上述した実施の形態では、測定基準線５０は視認部４０の下面側に設けられているものとしたが、目盛り線２３を示す機能を有するならばこれに限定されるものではない。例えば、視認部４０の上面側に印刷して設けてもよいし、上面側又は下面側の表面を削って塗料を流し込むことにより設けてもよい。また、線ではなく、目盛り線２３の数値を囲む四角形や楕円を用いることができる。いずれの場合も、上述した実施の形態と同様の効果を得ることができる。
【００３１】
上述した実施の形態では、支点部３０はケース１０の下面側後方端でヒンジ部３５によりケース１０と連結されているものとしたが、ケース１０の底面に支点部３０を固定してもよいし、支点部３０はケース１０と一体化させて突出部３１のみがケース１０から突出した形状としてもよい。
【００３２】
上述した実施の形態では、突出部３１を備えた支点部３０を備えるものとしたが、支点部３０は無くともよい。このような場合には、突出部３１をケース１０の底面に直接固定してもよいし、ケース１０の底面の一部を先端が尖った凸形状に形成することで突出部３１としてもよい。
【００３３】
また、支点部３０及び突出部３１は十分な強度が確保できるものであれば、どのような形状及び素材で作製してもよい。例えば支点部３０は直方体の角に丸みを帯びた形状としてもよいし、支点部３０及び突出部３１はケース１０と同一の素材で作製してもよいし、異なる素材で作製してもよい。
【００３４】
上述した実施の形態では、視認部４０は裏面目盛２２が視認できる位置であること、かつ、測定基準線５０から裏面目盛２２の開始位置までのテープ２０の長さと、突出部３１から孔６０までの距離とが等しいという条件を満たすならば、ケース１０のいずれの位置に設けてもよい。また視認部４０をケース１０に設けるに当たっては、嵌合のみならず接着、接合等、種々の方法を用いて設けることができる。
【００３５】
上述した実施の形態では、ケース１０は、金属製のケースであるものとしたが、硬化プラスチック等の透明な樹脂製等、内部が視認可能な材質を用いてもよい。こうすることにより、特定の場所に視認部４０を設けなくとも、ケース１０に収納された裏面目盛２２を視認することができきる。このとき、視認部４０に測定基準線５０が設けられた場合と同様に、ケース１０の所定の位置に測定基準線５０を設けることで、上述した実施の形態と同様の効果が得られる。
【００３６】
上述した実施の形態では、孔６０に筆記具８０を通し、突出部３１を支点として巻尺１００を回転させることで、円を描図することを一例として説明したが、使用方法はこれに限定されるものではない。例えば、孔６０に杭を打つことで、測定基準線５０で示される所定の距離だけ突出部３１から離れた位置に杭を打ち付けたり、孔６０に刃の一部を通して突出部３１を中心として回転させることで、測定基準線５０で示される円を切り出したり、孔６０に先端の尖った部材を組み合わせることで、木材や金属の表面に傷を付けたり、種々の様態で使用することができる。
【産業上の利用可能性】
【００３７】
上述した実施の形態で示すように、測定計器分野、特に、円描図機能を有する巻尺として利用することができる。
【符号の説明】
【００３８】
１０…ケース、１２…開口部、２０…テープ、２１…表面目盛、２２…裏面目盛、
２３…目盛り線、２５…取っ手，３０…支点部、３１…突出部、３５…ヒンジ部、
４０…視認部、５０…測定基準線、６０…孔、７０…ストッパー、
８０…筆記具、１００…巻尺。
【図１】
2015215266.tif 000003
【図２】
2015215266.tif 000004
【図３】
2015215266.tif 000005
【図４】
2015215266.tif 000006